(57)【要約】【課題】比較的簡単な構成で演色性を高めることができるとともに、コストを抑制することができる照明器具を提供する。【解決手段】照明器具１は、照明器具本体１０、第一光源２、第二光源３、カバー４、点灯装置５、調光点灯装置５ａおよび反射板６等から形成されている。本実施形態によれば、第一光源２の外側に設けられる第二光源３を調光するのみであるので、調光機能を有する調光点灯装置５ａは１種類でよく、コストを抑えることができる。また、第二光源３から凸状である反射板６に向かって照射される光は、第一光源２から照射される光と器具本体１０内でより確実に混色され、透光部４１から斜め下方へ混色光が出射するので、器具本体１０の直下方向であって器具本体１０の中央部と対向する領域でも演色効果を容易に得ることができる。【選択図】図４
2004265699.tif 000002
【特許請求の範囲】
【請求項１】
透光開口を有する器具本体と；
透光開口と対向するように器具本体に設けられ、色温度が３５００Ｋ以下の光りを照射する環状または多角形形状の第一光源と；
透光開口に対向し、かつ、第一光源よりも外側に位置するように器具本体に設けられるとともに、調光されることにより色温度が３０００Ｋから７０００Ｋの範囲で光りを照射する環状または多角形形状の第二光源と；
器具本体の器具取付面側とは反対側に凸状となるように設けられるとともに、第一光源の径方向から第一光源の中心部側へ向かって傾斜する反射面が設けられる反射板と；
を具備すること特徴とする照明器具。
【発明の詳細な説明】
【０００１】
【発明の属する技術分野】
本発明は、調光制御される光源を有する照明器具に関する。
【０００２】
【従来の技術】
従来、色温度の異なる複数の光源を器具本体に設け、これらを調光することで生活パターンや自然光のバイオリズムに合わせ快適な照明環境が得られる技術が知られている（例えば特許文献１参照）。
【０００３】
この特許文献１記載の従来技術は、色温度の異なる複数の光源を拡散パネルに垂直をなす方向に並べて配設し、かつ各々の光源を調光するものであって、反射板の断面形状は最も背面側に位置する光源が焦点とされる放物線形状をなすように形成したというものである。これにより、最も背面側の光源からの光のうち反射板で反射される光は透光開口と垂直方向に拡散パネルに入射して拡散パネルと光源との距離を大きくすることなく色むらの発生を抑制でき、照明器具の厚みを薄くし易いというものである。
【０００４】
【特許文献１】特開平１１−１３４９１０号公報（図１）
【０００５】
【発明が解決しようとする課題】
しかしながら、特許文献１記載の発明は、複数の光源の全てを調光する構成であるために各々の光源の点灯装置が調光機能を有しなくてはならず、高価なものとなってしまうので、照明器具のコストが増加してしまう課題がある。
【０００６】
また、複数種の光源を調光するものであるので、所望の演色効果を得るために各々の光源の特性に応じる制御を行わなくてはならず、設計が煩雑となる虞がある。
【０００７】
さらにまた、特許文献１記載の発明は、複数の光源を垂直方向へ並べるために、反射板の設計が煩雑であるという課題もある。
【０００８】
本発明は、上記に鑑みなされたものであり、比較的簡単な構成で演色性を高めることができるとともに、コストを抑制することができる照明器具を提供することを目的とする。
【０００９】
【課題を解決するための手段】
請求項１記載の照明器具は、透光開口を有する器具本体と；透光開口と対向するように器具本体に設けられ、色温度が３５００Ｋ以下の光りを照射する環状または多角形形状の第一光源と；透光開口に対向し、かつ、第一光源よりも外側に位置するように器具本体に設けられるとともに、調光されることにより色温度が３０００Ｋから７０００Ｋの範囲で光りを照射する環状または多角形形状の第二光源と；器具本体の器具取付面側とは反対側に凸状となるように設けられるとともに、第一光源の径方向から第一光源の中心部側へ向かって傾斜する反射面が設けられる反射板と；を具備すること特徴とする。
【００１０】
請求項１記載の発明は、まず、第一光源は調光されることがなく略一定の色温度の光を照射する。また、第二光源は、低照度設定時には低色温度となるように色温度が約３０００Ｋを下回らない範囲で調光され、高照度設定時には高色温度となるように色温度が低照度設定時よりも大きくなるように調光される。このように調光された第二光源の光は、第一光源の光と器具本体内で混色されて、この混色光が器具本体の透光開口から出射する。
【００１１】
このとき、第二光源から照射された光の一部は、第一光源の径方向から第一光源の中心部側へ向かって傾斜する反射面で器具本体の中央部側へ反射することにより、器具本体内で第一光源から照射される光とより混色されやすい状態となり、この混色光が透光開口から出射する。
【００１２】
請求項１記載の発明によれば、透光開口を有する器具本体と；透光開口と対向するように器具本体に設けられ、色温度が３５００Ｋ以下の光りを照射する環状または多角形形状の第一光源と；透光開口に対向し、かつ、第一光源よりも外側に位置するように器具本体に設けられるとともに、調光されることにより色温度が３０００Ｋから７０００Ｋの範囲で光りを照射する環状または多角形形状の第二光源と；器具本体の器具取付面側とは反対側に凸状となるように設けられるとともに、第一光源の径方向から第一光源の中心部側へ向かって傾斜する反射面が設けられる反射板と；を具備することにより、外側に設けられる第二光源を調光するのみで演色性を高めることができる。
【００１３】
また、調光するのが第二光源のみでよいので、調光機能を有する点灯装置は光源の数よりも少なくてよいので設計が容易となるとともに、コストを抑えることができる。
【００１４】
さらにまた、反射板の形状も器具本体の器具取付面側とは反対側に凸状となるように設けられるとともに、第一光源の径方向から第一光源の中心部側へ向かって傾斜する反射面を有していればよいので、設計が比較的容易となる。
【００１５】
さらにまた、第二光源から照射された光は、反射板の反射面で器具本体の中央部側へ反射することにより、第一光源から照射される光とより混色されやすい状態であって、かつ混色光が器具本体直下の中央部側の方向へ効率よく出射するので、器具本体の直下方向における所望の演色効果を得ることが容易となる。
【００１６】
【発明の実施の形態】
本発明の一実施形態を図面を参照して説明する。図１は本実施形態の照明器具を示す底面図、図２は同じく照明器具を示す側面図、図３は同じく照明器具を示す一部切欠き断面図、図４は図３の要部を示す要部拡大図である。
【００１７】
照明器具１は、照明器具本体１０、第一光源２、第二光源３、カバー４、点灯装置５、調光点灯装置５ａ、反射板６等から形成されている。
【００１８】
照明器具本体１０は、図１，２に示すように、金属製からなる天板１１と側板１２から形成されている。そして、この天板１１には、照明器具１を天井へ設ける際に天井面との隙間を吸収し、かつ安定して取り付けられるように天板１１には図示しない吊ボルトを挿入・接続するための図示しない挿入孔が設けられている。
【００１９】
また、側板１２は器具本体１０の４側面を形成するように設けられており、天板１１とは図３に示す取付ねじ１７によって、または例えばバネによる吸い上げにより天板１１と接続されている。さらにまた、天板１１と対向するように透光開口１６が設けられているとともに、器具本体１０内に後述する第一、二光源２，３等が収納される収納空間１８が設けられている。
【００２０】
第一光源２は、色温度が約３０００Ｋである光を照射する四角状の発光管を有する蛍光ランプであり、点灯装置５によって常時一定の色温度で光を照射するように点灯制御がされている。そして、図３、４に示すように、器具本体１０の収納空間１８内にホルダ７、ソケット（図示しない）に把持されて設けられている。
【００２１】
第二光源３は、四角状の放電管を有する蛍光ランプであり、調光点灯装置５ａの点灯制御により色温度が約３０００Ｋから約６５００Ｋである光を適宜照射可能となるように点灯制御がされている。
【００２２】
また、第二光源３は、第一光源２よりも径が大きくなるように形成されているものであって、図３，４に示すように、器具本体１０の収納空間１８内に第一光源２よりも外側に位置するようにホルダ７、ホルダ（図示しない）に把持されて設けられている。
【００２３】
カバー４は、器具本体１０の透光開口１６に設けられるもので透光部４１および開口４２が形成されている蓋部４４と枠部４３とによって構成されている。
【００２４】
透光部４１は、第一，二光源２，３の少なくとも直下に位置するように設けられるものである。そして、本実施形態では、図３，４に示すように第一、二光源２，３の直下に位置する平坦部４１ａと平坦部４１ａの一端部側から天板１１の方向へ斜めに傾斜する傾斜部４１ｂが形成されている。なお、この透光部４１は拡散性を有する樹脂から形成されているものである。
【００２５】
また傾斜部４１ｂは、図３に示すように、この一方側の傾斜部４１ｂを開口４２を挟んで反対側に位置する他方側の傾斜部４１ｂの端部４１ｃ側から見通したときに第一、二光源が直視できないような長さに形成されている。
【００２６】
また開口４２は、後述する反射面６０が臨むように設けられているものである。
【００２７】
また枠部４３は、器具本体１０の透光開口１６よりも大きい径となるように設けれる周縁部４３ｂと蓋部によって閉塞される開口（図示しない）が形成されている。そして、この枠部４３には図３、４に示すように、蓋部４４が縁部４３ａに載置されるとともに、この縁部４３ａから上方へ突出する固定部８２に取付けばね８が設けられている。
【００２８】
点灯装置５は、図２，３に示すように、側板１２と天板１１との間に設けられた点灯装置収納部１９に設けられるものであって、第一光源２の点灯を制御するものである。
【００２９】
調光点灯装置５ａは、図２，３に示すように、側板１２と天板１１との間に設けられた点灯装置収納部１９に設けられるものであって、第二光源３を調光可能なように点灯制御するものである。
【００３０】
なお調光点灯装置５の色温度の調光制御方法は、例えばメモリ等の記憶手段、タイマ手段およびマイコン等の制御手段を用いて、設定時刻になるとその時刻に対応する色温度となるように制御される方法であったり、周辺環境の照度を検知し、その照度に対応して適宜第二光源３の色温度を可変させるような制御であったり、或いは外部に設ける調光スイッチ等により人為的に調光が可能であるように設けられていてもよい。要するに、第二光源３を色温度が適宜に制御可能であればどのような構成で設けられていてもよいものである。
【００３１】
反射板６は、図３，４に示すように、器具本体１０内に設けられており、器具本体１０の器具取付面１４側とは反対側に凸状となるように設けられるとともに、少なくとも第一光源２の径方向（２ａ）から第一光源２の中心部側（２ｂ）へ向かって傾斜する反射面６０が設けられている。なお反射面６０は、表面が高反射特性を有するように例えば白色塗装等の高反射処理および高反射部材から形成されているものである。
【００３２】
本実施形態の照明器具１の組み立ては、まず、天板１１、側板１２、点灯装置５、調光点灯装置５ａおよび反射板６等で構成される器具本体１０にホルダ７、７、ソケットを介して第一、二光源２を設ける。そして、枠部４３の取付けばね８を器具本体１０内に設けられているバネ係合部８１へ係合させ、枠部４３を器具本体４３の透光開口１６周縁に設ける。次に枠部４３の縁部４３ａに透光部４１及び開口４２を具備する蓋部４４を載置することで、器具本体１０の透光開口１６にカバー４を設ける。
【００３３】
次に、本実施形態の作用について説明する。
【００３４】
本実施形態の第一光源２は、調光されることがなく常に約３０００Ｋの色温度の光を照射する。また、第二光源３は、例えば、自然光のバイオリズムに合わせて太陽光の色温度が低い朝夕の低照度設定時には色温度が約３０００Ｋから３５００Ｋとなるように調光される。そして、太陽光の色温度が高い日中の高照度設定時には色温度が約６５００Ｋとなるように調光される。さらに、夜間においては照明器具１の設置環境および使用者の照明環境の要望に応じて低照度、中照度ないし高照度設定に適宜調光されることになる。
【００３５】
したがって、このように調光された第二光源３の光は、第一光源２の光と器具本体１０内で混色されて、混色光がカバー４の透光部４１および開口４２から出射する。
【００３６】
次に、カバー４の透光部４１から出射する光について図４を参照して説明する。
【００３７】
第一、二光源２、３から出射する光は、カバー４の透光部４１の方向や器具本体１０内へ照射される。このとき、カバー４の透光部４１の方向へ照射される光については、透光部４１と第一、二光源２，３との距離Ｌを近接させすぎないことにより、各々の光源２，３の光が直接透光部４１から照射されることを抑制しており、各々の光源２，３からの光が混色された状態で透光部４１から混色光が出射するようになっている。
【００３８】
また、器具本体１０内へ照射された光は、収納空間１８内で各々の光源２，３からの光が混色され、この混色された光が透光部４１から出射するようになっている。さらにまた、第二光源３から器具本体内１０へ照射される光であって、凸状かつ傾斜する反射面６０に向かって照射されたものは、矢印Ａで示すように器具本体１０の中央部側へ反射する。すると、第一光源２から照射される矢印Ｂで示す光と器具本体１０内でより確実に混色されることになり透光部４１から混色光が出射することになる。
【００３９】
さらにまた、器具本体１０の中央部側から見て第一光源２よりも外側である第二光源３のみの調光および反射面６０により、図２に示すように、透光部４１から出射する混色光Ｙ、Ｚが器具本体１０の直下方向であって器具本体１０の中央部と対向する領域Ｘへ照射されやすくなっている。
【００４０】
なお、開口４２からも混色光の一部が反射面６０で反射することで出射されるとともに、反射面６０が混色光に照射されているので、反射面６０が不所望に暗くなることを抑制しており、外観性を向上させている。
【００４１】
本実施形態によれば、第一光源２の外側に設けられる第二光源３を調光するのみで演色性を容易に高めることができる。また、調光するのが第二光源３のみでよいので、調光機能を有する調光点灯装置５ａは１種類でよく、コストを抑えることができる。
【００４２】
さらにまた、反射板６の形状も凸状かつ第一光源２の径方向（２ａ）から中心部側（２ｂ）へ向かって傾斜するような反射面６０であればよいので、反射板６の設計も比較的容易となる。
【００４３】
さらにまた、第二光源３から器具本体内１０へ照射される光であって、凸状である反射板６に向かって照射されたものは、第一光源２から照射される光と器具本体１０内でより確実に混色されることとなり、透光部４１から混色光Ｙ、Ｚが出射することになるので、器具本体１０の直下方向であって器具本体１０の中央部と対向する領域Ｘにも混色光Ｙ、Ｚが効率よく照射され、領域Ｘにおける演色効果を容易に高めることができる。
【００４４】
さらにまた、透光部４１の器具本体１０の中央側に傾斜部４１ｂを設けてるので、器具本体１０の直下方向であって器具本体１０の中央部と対向する領域Ｘへ混色光Ｙ，Ｚがより照射されやすくなっている。
【００４５】
さらにまた、傾斜部４１ｂは、一方側の傾斜部４１ｂを開口４２を挟んで反対側に位置する他方側の傾斜部４１ｂの端部４１ｃ側から見通したときに第一、二光源が直視できないような長さに形成されているので、グレア等の不具合を生じさせることがない。
【００４６】
さらにまた、カバー４に遮光部４２を設ける構成であっても器具本体１０の直下方向であって器具本体１０の中央部と対向する領域Ｘにおける演色効果および所望の照明環境が得られるので、この遮光部４２を例えば非常灯、空調吹出口、スピーカ等のその他器具、設備機器等を設ける設備配置部として利用することも可能である。
【００４７】
【発明の効果】
請求項１記載の発明によれば、透光開口を有する器具本体と；透光開口と対向するように器具本体に設けられ、色温度が３５００Ｋ以下の光りを照射する環状または多角形形状の第一光源と；透光開口に対向し、かつ、第一光源よりも外側に位置するように器具本体に設けられるとともに、調光されることにより色温度が３０００Ｋから７０００Ｋの範囲で光りを照射する環状または多角形形状の第二光源と；器具本体の器具取付面側とは反対側に凸状となるように設けられるとともに、第一光源の径方向から第一光源の中心部側へ向かって傾斜する反射面が設けられる反射板と；を具備することにより、外側に設けられる第二光源を調光するのみで演色性を高めることができ、コストも抑えることができる。
【００４８】
また、第二光源から照射された光は、反射板の反射面で器具本体の中央部側へ反射することにより、第一光源から照射される光とより混色されやすい状態であって、かつ混色光が器具本体の直下方向であって器具本体の中央部と対向する領域へ効率よく出射するので、器具本体の直下方向における所望の演色効果を得ることが容易となる。
【図面の簡単な説明】
【図１】本実施形態の照明器具を示す底面図
【図２】同上照明器具を示す側面図
【図３】同上照明器具を示す一部切欠き断面図
【図４】図３の要部を示す要部拡大図である。
【符号の説明】
１・・・照明器具、２・・・第一光源、３・・・第二光源、６・・・反射板、１０・・・器具本体
【図１】
2004265699.tif 000003
【図２】
2004265699.tif 000004
【図３】
2004265699.tif 000005
【図４】
2004265699.tif 000006